(57)【要約】【課題】組立ロボットによって自動的に構造物組立体を組み立てることができるベースプレートを提供する。【解決手段】ベースプレート２０は、土台部２６と、土台部２６の表面２０ａに設けられ、かつ締結孔２５を有する突出部２１を備えている。突出部２１は、締結孔２５に挿入可能な締結具２３によって構造物を支持する台座２２に連結可能である。【選択図】図５
2020060146.tif 000002
【特許請求の範囲】
【請求項１】
構造物の下方に配置可能なベースプレートであって、
前記ベースプレートは、
土台部と、
前記土台部の表面に設けられ、かつ締結孔を有する突出部を備えており、
前記突出部は、前記締結孔に挿入可能な締結具によって前記構造物を支持する台座に連結可能である、ベースプレート。
【請求項２】
前記締結孔は、前記ベースプレートの幅方向に延びている、請求項１に記載のベースプレート。
【請求項３】
前記突出部は、前記ベースプレートの長手方向に延びている、請求項１または２に記載のベースプレート。
【請求項４】
前記締結孔は、前記ベースプレートの幅方向に延び、かつ前記ベースプレートの長手方向に延びる長孔である、請求項１乃至３のいずれか一項に記載のベースプレート。
【請求項５】
前記締結孔は、前記ベースプレートの長手方向に延びる複数の開口部である、請求項１乃至３のいずれか一項に記載のベースプレート。
【請求項６】
前記突出部は、前記ベースプレートの長手方向に延びるリブである、請求項１乃至５のいずれか一項に記載のベースプレート。
【請求項７】
前記突出部は、前記ベースプレートの長手方向に延びる屈曲部材である、請求項１乃至５のいずれか一項に記載のベースプレート。
【請求項８】
構造物と、前記構造物の下方に配置されたベースプレートとを備えた構造物組立体であって、
前記ベースプレートは、
土台部と、
前記土台部の表面に設けられ、かつ締結孔を有する突出部を備えており、
前記構造物組立体は、
前記突出部に連結され、かつ前記構造物を支持する台座と、
前記締結孔に挿入され、かつ前記突出部と前記台座とを締結する締結具とを備えている、構造物組立体。
【請求項９】
前記締結孔は、前記ベースプレートの幅方向に延びている、請求項８に記載の構造物組立体。
【請求項１０】
前記突出部は、前記ベースプレートの長手方向に延びている、請求項８または９に記載の構造物組立体。
【請求項１１】
前記締結孔は、前記ベースプレートの幅方向に延び、かつ前記ベースプレートの長手方向に延びる長孔である、請求項８乃至１０のいずれか一項に記載の構造物組立体。
【請求項１２】
前記締結孔は、前記ベースプレートの長手方向に延びる複数の開口部である、請求項８乃至１０のいずれか一項に記載の構造物組立体。
【請求項１３】
前記突出部は、前記ベースプレートの長手方向に延びるリブである、請求項８乃至１２のいずれか一項に記載の構造物組立体。
【請求項１４】
前記突出部は、前記ベースプレートの長手方向に延びる屈曲部材である、請求項８乃至１２のいずれか一項に記載の構造物組立体。
【請求項１５】
前記台座は、前記突出部を挟む第１脚部材および第２脚部材を備えている、請求項８乃至１４のいずれか一項に記載の構造物組立体。
【発明の詳細な説明】
【技術分野】
【０００１】
本発明は、ベースプレートおよび該ベースプレートを備えた構造物組立体に関するものである。
【背景技術】
【０００２】
構造物がベースプレート上に配置された構造物組立体が知られている。構造物組立体は、構造物が作業台に水平に載置された状態で組み立てられる。より具体的には、作業者は、工具を用いて手動で構造物をベースプレートに取り付ける。
【先行技術文献】
【特許文献】
【０００３】
【特許文献１】実開平４−９５６９９号公報
【発明の概要】
【発明が解決しようとする課題】
【０００４】
上述したように、構造物組立体は作業者による手動で組み立てられる。このような構造物組立体は、スパナ（またはレンチ）などの工具による取り付けを想定した構造を有しており、構造物組立体には、工具による取り付け作業が可能な作業スペースが形成されている。
【０００５】
将来的に、構造物組立体は、組立ロボットによって自動的に組み立てられることが予想される。この場合、構造物のベースプレートへの取り付け作業は、組立ロボットによって行われるが、上記作業スペースは、作業者のアクセスを可能とするスペースである。したがって、組立ロボットの締め付けツールが作業スペースにアクセスすることができないおそれがある。このような場合、組立ロボットによる構造物組立体の組み立ては困難である。
【０００６】
そこで、本発明は、組立ロボットによって自動的に構造物組立体を組み立てることができるベースプレートを提供することを目的とする。本発明は、組立ロボットによって自動的に組み立て可能な構造物組立体を提供することを目的とする。
【課題を解決するための手段】
【０００７】
一態様は、構造物の下方に配置可能なベースプレートであって、前記ベースプレートは、土台部と、前記土台部の表面に設けられ、かつ締結孔を有する突出部を備えており、前記突出部は、前記締結孔に挿入可能な締結具によって前記構造物を支持する台座に連結可能である。
【０００８】
一態様は、前記締結孔は、前記ベースプレートの幅方向に延びている。
一態様は、前記突出部は、前記ベースプレートの長手方向に延びている。
一態様は、前記締結孔は、前記ベースプレートの幅方向に延び、かつ前記ベースプレートの長手方向に延びる長孔である。
【０００９】
一態様は、前記締結孔は、前記ベースプレートの長手方向に延びる複数の開口部である。
一態様は、前記突出部は、前記ベースプレートの長手方向に延びるリブである。
一態様は、前記突出部は、前記ベースプレートの長手方向に延びる屈曲部材である。
【００１０】
一態様は、構造物と、前記構造物の下方に配置されたベースプレートとを備えた構造物組立体であって、前記ベースプレートは、土台部と、前記土台部の表面に設けられ、かつ締結孔を有する突出部を備えており、前記構造物組立体は、前記突出部に連結され、かつ前記構造物を支持する台座と、前記締結孔に挿入され、かつ前記突出部と前記台座とを締結する締結具とを備えている。
【００１１】
一態様は、前記締結孔は、前記ベースプレートの幅方向に延びている。
一態様は、前記突出部は、前記ベースプレートの長手方向に延びている。
一態様は、前記締結孔は、前記ベースプレートの幅方向に延び、かつ前記ベースプレートの長手方向に延びる長孔である。
【００１２】
一態様は、前記締結孔は、前記ベースプレートの長手方向に延びる複数の開口部である。
一態様は、前記突出部は、前記ベースプレートの長手方向に延びるリブである。
一態様は、前記突出部は、前記ベースプレートの長手方向に延びる屈曲部材である。
一態様は、前記台座は、前記突出部を挟む第１脚部材および第２脚部材を備えている。
【発明の効果】
【００１３】
本発明によれば、突出部を土台部の表面に設け、かつ締結孔を突出部に設けることにより、締結孔は土台部の表面の上方に配置される。したがって、組立ロボットは、一方向に直線運動するのみで、容易に突出部と台座とを締結することができる。結果として、構造物組立体は、組立ロボットによって自動的に組み立てられる。
【図面の簡単な説明】
【００１４】
【図１】ポンプ装置の一実施形態を示す正面図である。
【図２】図１に示すポンプ装置の側面図である。
【図３】図３（ａ）はベースプレートの平面図であり、図３（ｂ）はベースプレートの側面図であり、図３（ｃ）は図３（ａ）のＡ−Ａ線断面図である。
【図４】ポンプ台の鉛直断面図である。
【図５】図５（ａ）は、突出部が第１脚部材および第２脚部材によって挟まれる様子を示す図であり、図５（ｂ）は、突出部、第１脚部材、および第２脚部材が締結具によって締結される様子を示す図である。
【図６】締結孔の他の実施形態を示す図である。
【図７】締結孔のさらに他の実施形態を示す図である。
【図８】突出部に対して相対的に移動する台座を示す図である。
【図９】図９（ａ）は突出部の他の実施形態を示す平面図であり、図９（ｂ）は図９（ａ）に示す突出部の側面図であり、図９（ｃ）は図９（ａ）のＢ−Ｂ線断面図である。
【図１０】図１０（ａ）は突出部のさらに他の実施形態を示す平面図であり、図１０（ｂ）は図１０（ａ）に示す突出部の側面図であり、図１０（ｃ）は図１０（ａ）のＣ−Ｃ線断面図である。
【図１１】図１１（ａ）は突出部のさらに他の実施形態を示す平面図であり、図１１（ｂ）は図１１（ａ）に示す突出部の側面図であり、図１１（ｃ）は図１１（ａ）のＤ−Ｄ線断面図である。
【図１２】図１２（ａ）は突出部のさらに他の実施形態を示す平面図であり、図１２（ｂ）は図１２（ａ）に示す突出部の側面図であり、図１２（ｃ）は図１２（ａ）のＥ−Ｅ線断面図である。
【図１３】図１３（ａ）は突出部のさらに他の実施形態を示す平面図であり、図１３（ｂ）は図１３（ａ）に示す突出部の側面図であり、図１３（ｃ）は図１３（ａ）のＦ−Ｆ線断面図である。
【図１４】図１４（ａ）は突出部のさらに他の実施形態を示す平面図であり、図１４（ｂ）は図１４（ａ）に示す突出部の側面図であり、図１４（ｃ）は図１４（ａ）のＧ−Ｇ線断面図である。
【図１５】図１５（ａ）は突出部のさらに他の実施形態を示す平面図であり、図１５（ｂ）は図１５（ａ）に示す突出部の側面図であり、図１５（ｃ）は図１５（ａ）のＨ−Ｈ線断面図である。
【発明を実施するための形態】
【００１５】
以下、本発明の実施形態について図面を参照しながら説明する。以下の図面において、同一または相当する構成要素には、同一の符号を付して重複した説明を省略する。
【００１６】
以下に説明する実施形態では、構造体の一例として、ポンプおよびモータの組み合わせについて説明する。構造物組立体の一例として、ポンプ装置について説明する。本実施形態に係る構成は、構造物がベースプレート上に配置される構造物組立体に適用することができる。
【００１７】
図１は、ポンプ装置１の一実施形態を示す正面図である。図２は、図１に示すポンプ装置１の側面図である。ポンプ装置１は、電動機を備えた機械装置の一例である。図１に示すように、ポンプ装置１は、流体（本実施形態では、液体）を移送する回転機械の一例であるポンプ２と、ポンプ２を動作させるモータ（電動機）３とを備えている。本実施形態では、ポンプ２は横軸多段遠心式ポンプである。本明細書において、ポンプ２とモータ３との組み合わせを単に構造物と呼ぶことがある。
【００１８】
ポンプ２は、複数の（本実施形態では、３段）羽根車６Ａ〜６Ｃと、これら複数の羽根車６Ａ〜６Ｃを収容するポンプケーシング７とを備えている。モータ３は、駆動軸（軸）１０と、駆動軸１０に固定された回転子（ロータ）１１と、回転子１１を取り囲むように配置された固定子（ステータ）１２と、これら回転子１１および固定子１２を収容するモータケーシング１３とを備えている。固定子１２はモータケーシング１３の内周面に固定されている。羽根車６Ａ〜６Ｃは、駆動軸１０に固定されている。
【００１９】
ポンプ側端面の反対側には、ファンカバー１８が接続されている。駆動軸１０の端部に固定されたファン１９は、ファンカバー１８によって覆われている。
【００２０】
ポンプケーシング７は、液体が吸い込まれる吸込口１５と、液体が吐き出される吐出口１７とを備えている。吸込口１５は駆動軸１０の軸線ＣＬ方向に開口しており、吐出口１７は軸線ＣＬ方向と垂直な方向に開口している。
【００２１】
図１および図２に示すように、ポンプ装置１は、構造物（すなわち、ポンプ２およびモータ３）が載置されたベースプレート２０をさらに備えている。ベースプレート２０は、構造物の下方に配置されている。ベースプレート２０は、平坦な形状を有する土台部２６を備えている。土台部２６の表面２０ａには、構造物が連結された突出部２１が設けられている。本実施形態では、土台部２６および突出部２１は、一体成形部材である。一実施形態では、土台部２６および突出部２１は、鋳造で製造されてもよい。他の実施形態は、突出部２１は、ベースプレート２０のプレス加工によって製造されてもよい。
【００２２】
突出部２１は、ベースプレート２０の中央部分に配置されている。突出部２１には、構造物を支持する台座２２が連結されている。本実施形態では、ポンプ２はポンプ台２２Ａに支持されており、モータ３はモータ台２２Ｂに支持されている。台座２２は、ポンプ台２２Ａおよびモータ台２２Ｂの総称である。
【００２３】
図３（ａ）はベースプレート２０の平面図であり、図３（ｂ）はベースプレート２０の側面図であり、図３（ｃ）は図３（ａ）のＡ−Ａ線断面図である。突出部２１は、土台部２６の表面２０ａから離間する方向（より具体的には、上方）に向かって延びるブロック形状を有するリブである。したがって、以下、突出部２１をブロックリブ２１と呼ぶことがある。
【００２４】
ブロックリブ２１は、ベースプレート２０の長手方向に延びている。ブロックリブ２１は、補強部材としても機能することができる。図３（ａ）に示すように、ベースプレート２０の長手方向は、駆動軸１０の軸線ＣＬ方向と平行な方向であり、ベースプレート２０の長手方向と垂直な方向はベースプレート２０の幅方向である。
【００２５】
ポンプ装置１は、突出部２１と台座２２とを締結する締結具２３（図１および図２参照）を備えている。突出部２１は、締結具２３が挿入された締結孔２５を有している（図１および図３参照）。締結孔２５は、土台部２６の表面２０ａの上方に配置されており、かつ構造物（すなわち、ポンプ２およびモータ３）の下方に配置されている。図３（ａ）乃至図３（ｃ）に示すように、締結孔２５は、ベースプレート２０の幅方向と平行に延びている。
【００２６】
図１に示す実施形態では、締結具２３は、ボルト２３ａとナット２３ｂとの組み合わせであり、ボルト２３ａは締結孔２５に挿入されている。一実施形態では、締結具２３は、締結ねじのみから構成されてもよい。この場合、締結孔２５には、ねじ溝が形成されている。
【００２７】
図４は、ポンプ台２２Ａの鉛直断面図である。ポンプ台２２Ａの形状およびモータ台２２Ｂの形状は異なるが（図２参照）、基本的な構成は同一である。したがって、以下、台座２２としてのポンプ台２２Ａについて図４を参照して説明する。
【００２８】
ポンプ台２２Ａは、突出部２１を挟む第１脚部材（図４では、第１ポンプ脚部材）３０および第２脚部材（図４では、第２ポンプ脚部材）３１を備えている。第１脚部材３０および第２脚部材３１は、互いに対向して配置されている。
【００２９】
第１脚部材３０は、構造物（図４では、ポンプケーシング７）を支持する支持部３０ａと、土台部２６の表面２０ａに載置される載置部３０ｂと、支持部３０ａと載置部３０ｂとを接続する接続部３０ｃとを備えている。本実施形態では、載置部３０ｂは、土台部２６の表面２０ａと平行に延びており、土台部２６の表面２０ａに固定されている。載置部３０ｂの土台部２６への固定手段は、特に限定されず、載置部３０ｂは、ねじ止めされてもよく、または溶接されてもよい。
【００３０】
接続部３０ｃは、載置部３０ｂと垂直に延びており、ボルト２３ａが貫通する貫通孔３５を有している。貫通孔３５は、締結孔２５と平行に、すなわち、ベースプレート２０の幅方向に延びており、締結孔２５および貫通孔３５は、互いに連通可能である。
【００３１】
支持部３０ａは、ポンプケーシング７の外形形状に沿った湾曲形状を有しており、ポンプケーシング７は支持部３０ａによって支持されている。本実施形態では、第１脚部材３０は、一枚の板から形成されている。
【００３２】
第１脚部材３０および第２脚部材３１は、互いに同一の構造を有しており、駆動軸１０の軸線ＣＬを通る鉛直線ＶＬに関して左右対称形状を有している。したがって、第２脚部材３１の詳細な説明を省略する。第２脚部材３１は、支持部３１ａと、載置部３１ｂと、接続部３１ｃとを備えている。接続部３１ｃには、貫通孔３６が形成されている。
【００３３】
図５（ａ）は、突出部２１が第１脚部材３０および第２脚部材３１によって挟まれる様子を示す図であり、図５（ｂ）は、突出部２１、第１脚部材、および第２脚部材３１が締結具２３によって締結される様子を示す図である。
【００３４】
図５（ａ）に示すように、ポンプ装置１を組み立てるとき、突出部２１は、貫通孔３５、締結孔２５、および貫通孔３６が互いに連通されるように、第１脚部材３０および第２脚部材３１によって挟まれる。
【００３５】
図５（ｂ）に示すように、締結孔２５および貫通孔３５，３６が一直線（線分ＳＬ）上に並んだ状態で、ボルト２３ａは、締結孔２５および貫通孔３５，３６に挿入される。締結具２３は、ボルト２３ａの締め付けによって第１脚部材３０、第２脚部材３１、および突出部２１を互いに締結する。組立ロボットは、その締め付けツールＴ１によって、ボルト２３ａを保持した状態で、ボルト２３ａをベースプレート２０の幅方向に、かつ水平方向に移動させ、ボルト２３ａを締結孔２５および貫通孔３５，３６に挿入する。なお、図５（ｂ）では、締め付けツールＴ１は模式的に描かれている。
【００３６】
図５（ａ）および図５（ｂ）に示す実施形態では、ナット２３ｂは、貫通孔３５と同心状に配置されるように、第１脚部材３０の接続部３０ｃに固定（溶接）されている。したがって、組立ロボットは、締め付けツールＴ１を回転させるだけでボルト２３ａをナット２３ｂに容易に螺合させることができる。結果として、台座２２を突出部２１に取り付けるための作業効率は向上される。
【００３７】
ポンプ２（およびモータ３）がポンプ台２２Ａ（およびモータ台２２Ｂ）を介してベースプレート２０に載置されたとき、締結孔２５および貫通孔３５，３６は、土台部２６の表面２０ａとポンプ２との間に配置される。このような配置により、作業者は、ベースプレート２０の幅方向から突出部２１を見たとき、貫通孔３６（および貫通孔３５）の全体を視認可能である。
【００３８】
図５（ｂ）に示すように、締め付けツールＴ１と貫通孔３６との間には、締め付けツールＴ１によるボルト２３ａの移動を阻害する要素は存在しない。したがって、組立ロボットは、締め付けツールＴ１に保持されたボルト２３ａを、ボルト２３ａの軸方向に移動させるだけで、ボルト２３ａを締結孔２５および貫通孔３５，３６に挿入することができる。
【００３９】
本実施形態によれば、突出部２１を土台部２６の表面２０ａに設け、かつ締結孔２５を突出部２１に設けることにより、締結孔２５は土台部２６の表面２０ａの上方に配置される。したがって、締め付けツールＴ１は、一方向（すなわち、ベースプレート２０の幅方向）に直線運動するのみで、ボルト２３ａを締結孔２５および貫通孔３５，３６に挿入することができる。結果として、組立ロボットは、締結具２３を用いて突出部２１と台座２２とを容易に締結することができる。
【００４０】
図３（ａ）に示すように、突出部２１に形成された４つの締結孔２５は、すべて、同一方向に延びている。組立ロボットは、締め付けツールＴ１に対する同一の動作（ボルト２３ａをベースプレートの幅方向と平行に移動させる動作）を複数回繰り返すだけで、突出部２１と台座２２とを締結することができ、ポンプ装置１を組み立てることができる。
【００４１】
図６は、締結孔２５の他の実施形態を示す図である。図７は、締結孔２５のさらに他の実施形態を示す図である。特に説明しない本実施形態の構成および動作は、上述した実施形態と同じであるので、その重複する説明を省略する。図６に示すように、ベースプレート２０の幅方向に延びる締結孔２５は、ベースプレート２０の長手方向に延びる長孔であってもよい。
【００４２】
図７に示すように、締結孔２５は、ベースプレート２０の長手方向に延びる複数の開口部２５ａであってもよい。本実施形態では、締結孔２５は、４つの開口部２５ａから構成されているが、開口部２５ａの数は本実施形態には限定されない。締結孔２５は、少なくとも２つの開口部２５ａから構成されてもよい。
【００４３】
図８は、突出部２１に対して相対的に移動する台座２２を示す図である。図６に示す実施形態では、台座２２と突出部２１とを締結具２３によって緩やかに締結した後、台座２２は突出部２１に対して相対的に移動する。したがって、台座２２に支持されたポンプ２およびモータ３は、長孔である締結孔２５の延伸方向（すなわち、ベースプレート２０の長手方向）に移動することができる。図７に示す実施形態では、ボルト２３ａが挿入される開口部２５ａの位置に応じて、突出部２１と台座２２との相対位置を変更することができる。
【００４４】
一実施形態では、ポンプ装置１は、突出部２１と台座２２との間に介在された低摩擦部材（図示しない）をさらに備えてもよい。低摩擦部材は、板形状を有しており、台座２２の突出部２１に対する相対移動を円滑にするための部材である。低摩擦部材の一例として、ＰＴＦＥ（ポリテトラフルオロエチレン）などの樹脂を挙げることができる。
【００４５】
ポンプ装置１は、建物の壁沿い、地下空間、または受水槽の下や横の空間などの設置状況下で用いられることがある。したがって、給水装置の設置スペースやポンプの向きなどの条件は様々である。図６および図７に示す実施形態では、ベースプレート２０に対するポンプ２およびモータ３の相対位置を変更することができる。したがって、ポンプ装置１は、様々な設置環境に対応して配置されることができる。
【００４６】
図２に示す実施形態では、ポンプ装置１は、羽根車６Ａ〜６Ｃが固定された駆動軸１０を備えた機械装置であるが、一実施形態では、ポンプ装置１は、駆動軸１０と、羽根車６Ａ〜６Ｃが固定された回転軸（図示しない）とを備えた機械装置であってもよい。この場合、回転軸および駆動軸１０は、図示しないカップリング（軸継手）を介して互いに連結される。この場合、締結孔２５を長孔または複数の開口部２５ａから構成することにより、ポンプ２およびモータ３は、独立して、ベースプレート２０の長手方向に移動することができる。このような構成により、ポンプ２およびモータ３は、互いに近接して配置されることができ、または互いに離間して配置されることができる。
【００４７】
上述した実施形態では、単一のブロックリブから構成された突出部２１について説明したが、突出部２１の構成は、上述した実施形態には限定されない。以下、突出部２１の他の構成について、図面を参照して説明する。
【００４８】
図９（ａ）は突出部２１の他の実施形態を示す平面図であり、図９（ｂ）は図９（ａ）に示す突出部２１の側面図であり、図９（ｃ）は図９（ａ）のＢ−Ｂ線断面図である。特に説明しない本実施形態の構成および動作は、上述した実施形態と同じであるので、その重複する説明を省略する。
【００４９】
図９（ａ）乃至図９（ｃ）に示すように、突出部２１は、ポンプ側ブロックリブ４０と、モータ側ブロックリブ４１とを備えてもよい。突出部２１を複数の分割体から構成することにより、突出部２１の材料費を抑えることができ、結果として、ポンプ装置１全体のコストを削減することができる。
【００５０】
図１０（ａ）は突出部２１のさらに他の実施形態を示す平面図であり、図１０（ｂ）は図１０（ａ）に示す突出部２１の側面図であり、図１０（ｃ）は図１０（ａ）のＣ−Ｃ線断面図である。特に説明しない本実施形態の構成および動作は、上述した実施形態と同じであるので、その重複する説明を省略する。
【００５１】
図１０（ａ）乃至図１０（ｃ）に示すように、突出部２１は、土台部２６の表面２０ａに対して垂直に配置された長方形状の第１突起部４２および第２突起部４３を有する板リブであってもよい。図１０（ａ）乃至図１０（ｃ）に示す実施形態では、第１突起部４２および第２突起部４３のそれぞれは、ベースプレート２０の長手方向に延びている。締結孔２５は、第１突起部４２および第２突起部４３のそれぞれに形成されている。第１突起部４２は４つの締結孔２５を有しており、第２突起部４３は４つの締結孔２５を有している。
【００５２】
図１１（ａ）は突出部２１のさらに他の実施形態を示す平面図であり、図１１（ｂ）は図１１（ａ）に示す突出部２１の側面図であり、図１１（ｃ）は図１１（ａ）のＤ−Ｄ線断面図である。特に説明しない本実施形態の構成および動作は、上述した実施形態と同じであるので、その重複する説明を省略する。
【００５３】
図１１（ａ）乃至図１１（ｃ）に示すように、図９（ａ）乃至図９（ｃ）に示す実施形態と図１０（ａ）乃至図１０（ｃ）に示す実施形態とは、組み合わされてもよい。図１１（ａ）乃至図１１（ｃ）に示す実施形態では、突出部２１は、ポンプ側第１突起部４５およびポンプ側第２突起部４６と、モータ側第１突起部４７およびモータ側第２突起部４８とを備えている。
【００５４】
図１乃至図１１に示す実施形態では、土台部２６および突出部２１は、一体成形部材（鋳物）であるが、以下に示す実施形態では、土台部２６および突出部２１は、折り曲げられた板材から構成された屈曲部材である。
【００５５】
図１２（ａ）は突出部２１のさらに他の実施形態を示す平面図であり、図１２（ｂ）は図１２（ａ）に示す突出部２１の側面図であり、図１２（ｃ）は図１２（ａ）のＥ−Ｅ線断面図である。特に説明しない本実施形態の構成および動作は、上述した実施形態と同じであるので、その重複する説明を省略する。
【００５６】
図１２（ａ）乃至図１２（ｃ）に示すように、ベースプレート２０は、１枚の板材が折り曲げられた土台部２６と、１枚の板材が折り曲げられた突出部２１とを備えている。これら突出部２１および土台部２６のそれぞれは、屈曲部材である。板材の材質の一例として、鋼板を挙げることができる。
【００５７】
土台部２６の材質と突出部２１の材質は同一であってもよく、異なっていてもよい。本実施形態では、突出部２１は、ベースプレート２０の長手方向に延びる単一の屈曲部材である。突出部２１は、土台部２６の表面２０ａに固定されている。突出部２１の土台部２６への固定手段は、特に限定されず、突出部２１は、ねじ止めされてもよく、または溶接されてもよい。
【００５８】
突出部２１は、コの字形状に折り曲げられた一体屈曲部材であり、突出部２１には、締結孔２５が形成されている。本実施形態においても、締結孔２５は、土台部２６の表面２０ａの上方に配置されている。本実施形態では、ベースプレート２０は、安価な板材から構成されているため、ベースプレート２０の材料費をより低減することができる。したがって、ポンプ装置１全体のコストを削減することができる。
【００５９】
図１３（ａ）は突出部２１のさらに他の実施形態を示す平面図であり、図１３（ｂ）は図１３（ａ）に示す突出部２１の側面図であり、図１３（ｃ）は図１３（ａ）のＦ−Ｆ線断面図である。特に説明しない本実施形態の構成および動作は、上述した実施形態と同じであるので、その重複する説明を省略する。図１３（ａ）乃至図１３（ｃ）に示すように、突出部２１は、ポンプ側屈曲部材５０と、モータ側屈曲部材５１とを備えてもよい。
【００６０】
図１４（ａ）は突出部２１のさらに他の実施形態を示す平面図であり、図１４（ｂ）は図１４（ａ）に示す突出部２１の側面図であり、図１４（ｃ）は図１４（ａ）のＧ−Ｇ線断面図である。特に説明しない本実施形態の構成および動作は、上述した実施形態と同じであるので、その重複する説明を省略する。
【００６１】
図１４（ａ）乃至図１４（ｃ）に示すように、突出部２１は、Ｌ字形状を有する第１板部５２および第２板部５３とを有する分断屈曲部材であってもよい。図１４（ａ）乃至図１４（ｃ）に示す実施形態では、第１板部５２および第２板部５３のそれぞれは、Ｌ字状に折れ曲がっており、ベースプレート２０の長手方向に延びている。締結孔２５は、第１板部５２および第２板部５３のそれぞれに形成されている。第１板部５２は４つの締結孔２５を有しており、第２板部５３は４つの締結孔２５を有している。
【００６２】
図１５（ａ）は突出部２１のさらに他の実施形態を示す平面図であり、図１５（ｂ）は図１５（ａ）に示す突出部２１の側面図であり、図１５（ｃ）は図１５（ａ）のＨ−Ｈ線断面図である。特に説明しない本実施形態の構成および動作は、上述した実施形態と同じであるので、その重複する説明を省略する。
【００６３】
図１５（ａ）乃至図１５（ｃ）に示すように、図１３（ａ）乃至図１３（ｃ）に示す実施形態と図１４（ａ）乃至図１４（ｃ）に示す実施形態とは、組み合わされてもよい。図１５（ａ）乃至図１５（ｃ）に示す実施形態では、突出部２１は、ポンプ側第１板部５５およびポンプ側第２板部５６と、モータ側第１板部５７およびモータ側第２板部５８とを備えている。
【００６４】
これまで本発明の実施形態について説明したが、本発明は上述の実施形態に限定されず、その技術思想の範囲内において、種々の異なる形態で実施されてよいことは勿論である。
【符号の説明】
【００６５】
１      ポンプ装置
２      ポンプ
３      モータ
６Ａ〜６Ｃ      羽根車
７      ポンプケーシング
１０      駆動軸
１１      回転子
１２      固定子
１３      モータケーシング
１５      吸込口
１７      吐出口
１８      ファンカバー
１９      ファン
２０      ベースプレート
２０ａ    表面
２１      突出部
２２      台座
２２Ａ    ポンプ台
２２Ｂ    モータ台
２３      締結具
２３ａ    ボルト
２３ｂ    ナット
２５      締結孔
２５ａ    開口部
２６      土台部
３０      第１脚部材
３０ａ    支持部
３０ｂ    載置部
３０ｃ    接続部
３１      第２脚部材
３１ａ    支持部
３１ｂ    載置部
３１ｃ    接続部
３５      貫通孔
３６      貫通孔
４０      ポンプ側ブロックリブ
４１      モータ側ブロックリブ
４２      第１突起部
４３      第２突起部
４５      ポンプ側第１突起部
４６      ポンプ側第２突起部
４７      モータ側第１突起部
４８      モータ側第２突起部
５０      ポンプ側屈曲部材
５１      モータ側屈曲部材
５２      第１板部
５３      第２板部
５５      ポンプ側第１板部
５６      ポンプ側第２板部
５７      モータ側第１板部
５８      モータ側第２板部
【図１】
2020060146.tif 000003
【図２】
2020060146.tif 000004
【図３】
2020060146.tif 000005
【図４】
2020060146.tif 000006
【図５】
2020060146.tif 000007
【図６】
2020060146.tif 000008
【図７】
2020060146.tif 000009
【図８】
2020060146.tif 000010
【図９】
2020060146.tif 000011
【図１０】
2020060146.tif 000012
【図１１】
2020060146.tif 000013
【図１２】
2020060146.tif 000014
【図１３】
2020060146.tif 000015
【図１４】
2020060146.tif 000016
【図１５】
2020060146.tif 000017